(57)【要約】【課題】煩雑な作業を行うことなく、ユーザの所望する放送局をプリセットするオートプリセット機能を備える。【解決手段】受信周波数帯域をスキャンして、受信可能な放送局に関する情報である放送局情報を取得する放送局情報取得手段と、前記放送局情報を、所定のチャンネルと対応させて自身の記憶部７に順次記憶するオートプリセット機能とを備える放送受信装置において、前記オートプリセット機能の実行中、オートプリセット機能の開始時に受信していた放送局である開始時放送局の前記放送局情報の記憶部７への記憶を禁止するメモリ制御手段を備えることを特徴とする放送受信装置１。【選択図】図１
2008109530.tif 000002
【特許請求の範囲】
【請求項１】
受信周波数帯域をスキャンして、受信可能な放送局に関する情報である放送局情報を取得する放送局情報取得手段と、
前記放送局情報を、所定のチャンネルと対応させて自身の記憶部に順次記憶するオートプリセット機能とを備える放送受信装置において、
前記オートプリセット機能の実行中、オートプリセット機能の開始時に受信していた放送局である開始時放送局の前記放送局情報の前記記憶部への記憶を禁止するメモリ制御手段を備える
ことを特徴とする放送受信装置。
【請求項２】
前記放送局情報は、周波数情報及び番組識別情報のうち少なくとも一方を含む
ことを特徴とする請求項１に記載の放送受信装置。
【請求項３】
前記メモリ制御手段は、前記開始時放送局の番組識別情報と同一の番組識別情報を有した放送局情報についても前記記憶部への記憶を禁止する
ことを特徴とする請求項１に記載の放送受信装置。
【請求項４】
受信周波数帯域をスキャンして、受信可能な放送局に関する情報である放送局情報を取得する放送局情報取得手段と、
前記放送局情報を、所定のチャンネルと対応させて自身の記憶部に順次記憶するオートプリセット機能とを備える放送受信装置において、
オートプリセット機能の実行中、前記放送局情報取得手段によって全受信周波数帯域のスキャンが終了するまでは、オートプリセット機能の開始時に受信していた放送局である開始時放送局の前記放送局情報である開始時放送局情報の前記記憶部への記憶を禁止し、全受信周波数領域のスキャンが終了した後、空きチャンネルが存在した場合には、前記禁止を解除し、前記開始時放送局情報を前記空きチャンネルと対応させて前記記憶部へ記憶する記憶制御手段を備える
ことを特徴とする放送受信装置。
【請求項５】
前記放送局情報は、周波数情報及び番組識別情報のうち少なくとも一方を含む
ことを特徴とする請求項４に記載の放送受信装置。
【請求項６】
前記記憶制御手段は、前記開始時放送局の番組識別情報と同一の番組識別情報を有した放送局情報についても前記記憶部への記憶を禁止する
ことを特徴とする請求項４に記載の放送受信装置。
【請求項７】
受信可能な放送局に関する情報である放送局情報を、所定のチャンネルと対応させて記憶部に順次記憶するオートプリセット機能を備える放送受信装置の制御方法において、
前記オートプリセット機能が開始された際、現に受信している放送局である開始時放送局の前記放送局情報である開始時放送局情報を前記記憶部に記憶する過程と、
受信周波数領域をスキャンして、前記放送局情報を取得する過程と、
前記取得した前記放送局情報である取得放送局情報と、前記開始時放送局情報とを比較し、これらが異なる場合に、前記取得放送局情報を所定のチャンネルと対応させて前記記憶部へ記憶する過程とを備えた
ことを特徴とする制御方法。
【請求項８】
受信可能な放送局に関する情報である放送局情報を、所定のチャンネルと対応させて記憶部に順次記憶するオートプリセット機能を備える放送受信装置の制御方法において、
前記オートプリセット機能が開始された際、現に受信している放送局である開始時放送局の前記放送局情報である開始時放送局情報を記憶部に記憶する過程と、
受信周波数領域をスキャンして、前記放送局情報を取得する過程と、
前記取得した前記放送局情報である取得放送局情報と、前記開始時放送局情報とを比較し、これらが異なる場合に、前記取得放送局情報を所定のチャンネルと対応させて記憶部に記憶する過程と、
全受信周波数領域のスキャンが終了した後、空きチャンネルが存在する場合は、前記開始時放送局情報を空きチャンネルと対応させて前記記憶部へ記憶する過程とを備えた
ことを特徴とする制御方法。
【請求項９】
受信可能な放送局に関する情報である放送局情報を、所定のチャンネルと対応させて記憶部に順次記憶するオートプリセット機能を備える放送受信装置をコンピュータにより制御するための制御プログラムにおいて、
前記オートプリセット機能の開始が指示された際、現に受信している放送局である開始時放送局の前記放送局情報である開始時放送局情報を前記記憶部に記憶させ、
受信周波数領域をスキャンして、前記放送局情報を取得させ、
前記取得した前記放送局情報である取得放送局情報と、前記開始時放送局情報とを比較させ、これらが異なる場合に、前記取得放送局情報を所定のチャンネルと対応させて前記記憶部へ記憶させる
ことを特徴とする制御プログラム。
【請求項１０】
受信可能な放送局に関する情報である放送局情報を、所定のチャンネルと対応させて記憶部に順次記憶するオートプリセット機能を備える放送受信装置をコンピュータにより制御するための制御プログラムにおいて、
前記オートプリセット機能の開始が指示された際、現に受信している放送局である開始時放送局の前記放送局情報である開始時放送局情報を記憶部に記憶させ、
受信周波数領域をスキャンして、前記放送局情報を取得させ、
前記取得した前記放送局情報である取得放送局情報と、前記開始時放送局情報とを比較させ、これらが異なる場合に、前記取得放送局情報を所定のチャンネルと対応させて前記記憶部に記憶させ、
全受信周波数領域のスキャンが終了した後、空きチャンネルが存在する場合は、前記開始時放送局情報を空きチャンネルと対応させて前記記憶部へ記憶させる
ことを特徴とする制御プログラム。
【発明の詳細な説明】
【技術分野】
【０００１】
本発明は、オートプリセット機能を備えた放送受信装置、放送受信装置の制御方法、及び、放送受信装置を制御する制御プログラムに関する。
【背景技術】
【０００２】
従来、受信周波数帯域をスキャンして、受信可能な放送局に関する情報を取得する機能と、取得した放送局に関する情報を、所定のチャンネルと対応させて自身の記憶部に順次記憶するオートプリセット機能とを備える放送受信装置が知られている。
この種の放送受信装置では、交通情報放送局等のユーザが所望しない放送局の周波数をデータとして予め放送受信装置の記憶部に記憶しておき、オートプリセット機能を実行する際は、上記所望しない周波数データと一致する周波数データの放送局がプリセットされるのを禁止する機能を有した放送受信装置が提案されている（例えば、特許文献１参照）。
【特許文献１】特開平６−３０３１０８号公報
【発明の開示】
【発明が解決しようとする課題】
【０００３】
しかしながら、上記の放送受信装置を使って、所望しない放送局をオートプリセット機能実行時にプリセットされないようにするためには、予めその所望しない放送局の周波数を登録し、記憶部に記憶させるという煩雑な作業が必要であるという問題があった。
特に、ユーザは、現在受信している放送局以外の放送局を受信したいと望んだときに、オートプリセット機能を実行するのが一般的である。
【０００４】
本発明は、上述した事情に鑑みてなされたものであり、煩雑な作業を行うことなく、ユーザの所望する放送局の情報をプリセットするオートプリセット機能を有した放送受信装置を提供することを目的とする。
【課題を解決するための手段】
【０００５】
上記目的を達成するために、本発明は、受信周波数帯域をスキャンして、受信可能な放送局に関する情報である放送局情報を取得する放送局情報取得手段と、前記放送局情報を、所定のチャンネルと対応させて自身の記憶部に順次記憶するオートプリセット機能とを備える放送受信装置において、前記オートプリセット機能の実行中、オートプリセット機能の開始時に受信していた放送局である開始時放送局の前記放送局情報の前記記憶部への記憶を禁止するメモリ制御手段を備えることを特徴とする。
【０００６】
本発明によれば、オートプリセット機能を実行中、オートプリセット開始時に受信していた放送局と同一の放送局はプリセットされないため、煩雑な作業を行うことなく、ユーザの所望する放送局をプリセットすることができる。
【０００７】
ここで、上記発明の放送受信装置において、前記放送局情報は、周波数情報及び番組識別情報のうち少なくとも一方を含む構成としてもよい。
【０００８】
また、上記発明の放送受信装置において、前記メモリ制御手段は、前記開始時放送局の番組識別情報と同一の番組識別情報を有した放送局情報についても前記記憶部への記憶を禁止する構成としてもよい。
この構成によれば、周波数が異なり、番組識別情報が同一の放送局が存在する状態が現出した際も、オートプリセット機能を実行することによって、ユーザの所望する放送局をプリセットすることができる。
【０００９】
また、上記目的を達成するために、本発明は、受信周波数帯域をスキャンして、受信可能な放送局に関する情報である放送局情報を取得する放送局情報取得手段と、前記放送局情報を、所定のチャンネルと対応させて自身の記憶部に順次記憶するオートプリセット機能とを備える放送受信装置において、オートプリセット機能の実行中、前記放送局情報取得手段によって全受信周波数帯域のスキャンが終了するまでは、オートプリセット機能の開始時に受信していた放送局である開始時放送局の前記放送局情報である開始時放送局情報の前記記憶部への記憶を禁止し、全受信周波数領域のスキャンが終了した後、空きチャンネルが存在した場合には、前記禁止を解除し、前記開始時放送局情報を前記空きチャンネルと対応させて前記記憶部へ記憶する記憶制御手段を備えることを特徴とする。
【００１０】
本発明によれば、オートプリセット実行中、受信周波数帯域のスキャン終了後、チャンネルに空きチャンネルが存在する場合に、オートプリセット開始時に受信していた放送局をプリセットするため、ユーザの所望する放送局をプリセットできると共に、前記記憶部の記憶領域を効率的に使用することができる。
【００１１】
ここで、上記発明の放送受信装置において、前記放送局情報は、周波数情報及び番組識別情報のうち少なくとも一方を含む構成としてもよい。
【００１２】
また、上記発明の放送受信装置において、前記記憶制御手段は、前記開始時放送局の番組識別情報と同一の番組識別情報を有した放送局情報についても前記記憶部への記憶を禁止する構成としてもよい。
この構成によれば、周波数が異なり、番組識別情報が同一の放送局が存在する状態が現出した際も、オートプリセット機能を実行することによって、ユーザの所望する放送局をプリセットすることができる。
【００１３】
また、上記目的を達成するために、本発明は、受信可能な放送局に関する情報である放送局情報を、所定のチャンネルと対応させて記憶部に順次記憶するオートプリセット機能を備える放送受信装置の制御方法において、前記オートプリセット機能が開始された際、現に受信している放送局である開始時放送局の前記放送局情報である開始時放送局情報を前記記憶部に記憶する過程と、受信周波数領域をスキャンして、前記放送局情報を取得する過程と、前記取得した前記放送局情報である取得放送局情報と、前記開始時放送局情報とを比較し、これらが異なる場合に、前記取得放送局情報を所定のチャンネルと対応させて前記記憶部へ記憶する過程とを備えたことを特徴とする。
【００１４】
本発明によれば、オートプリセット機能を実行中、オートプリセット開始時に受信していた放送局と同一の放送局はプリセットされないため、煩雑な作業を行うことなく、ユーザの所望する放送局をプリセットすることができる。
【００１５】
また、上記目的を達成するために、本発明は、受信可能な放送局に関する情報である放送局情報を、所定のチャンネルと対応させて記憶部に順次記憶するオートプリセット機能を備える放送受信装置の制御方法において、前記オートプリセット機能が開始された際、現に受信している放送局である開始時放送局の前記放送局情報である開始時放送局情報を記憶部に記憶する過程と、受信周波数領域をスキャンして、前記放送局情報を取得する過程と、前記取得した前記放送局情報である取得放送局情報と、前記開始時放送局情報とを比較し、これらが異なる場合に、前記取得放送局情報を所定のチャンネルと対応させて記憶部に記憶する過程と、全受信周波数領域のスキャンが終了した後、空きチャンネルが存在する場合は、前記開始時放送局情報を空きチャンネルと対応させて前記記憶部へ記憶する過程とを備えたことを特徴とする。
【００１６】
本発明によれば、オートプリセット実行中、受信周波数帯域のスキャン終了後、チャンネルに空きチャンネルが存在する場合に、オートプリセット開始時に受信していた放送局をプリセットするため、ユーザの所望する放送局をプリセットできると共に、前記記憶部の記憶領域を効率的に使用することができる。
【００１７】
また、上記目的を達成するために、本発明は、受信可能な放送局に関する情報である放送局情報を、所定のチャンネルと対応させて記憶部に順次記憶するオートプリセット機能を備える放送受信装置をコンピュータにより制御するための制御プログラムにおいて、前記オートプリセット機能の開始が指示された際、現に受信している放送局である開始時放送局の前記放送局情報である開始時放送局情報を前記記憶部に記憶させ、受信周波数領域をスキャンして、前記放送局情報を取得させ、前記取得した前記放送局情報である取得放送局情報と、前記開始時放送局情報とを比較させ、これらが異なる場合に、前記取得放送局情報を所定のチャンネルと対応させて前記記憶部へ記憶させることを特徴とする。
【００１８】
本発明によれば、オートプリセット機能を実行中、オートプリセット開始時に受信していた放送局と同一の放送局はプリセットされないため、煩雑な作業を行うことなく、ユーザの所望する放送局をプリセットすることができる。
【００１９】
また、上記目的を達成するために、本発明は、受信可能な放送局に関する情報である放送局情報を、所定のチャンネルと対応させて記憶部に順次記憶するオートプリセット機能を備える放送受信装置をコンピュータにより制御するための制御プログラムにおいて、前記オートプリセット機能の開始が指示された際、現に受信している放送局である開始時放送局の前記放送局情報である開始時放送局情報を記憶部に記憶させ、受信周波数領域をスキャンして、前記放送局情報を取得させ、前記取得した前記放送局情報である取得放送局情報と、前記開始時放送局情報とを比較させ、これらが異なる場合に、前記取得放送局情報を所定のチャンネルと対応させて前記記憶部に記憶させ、全受信周波数領域のスキャンが終了した後、空きチャンネルが存在する場合は、前記開始時放送局情報を空きチャンネルと対応させて前記記憶部へ記憶させることを特徴とする。
【００２０】
本発明によれば、オートプリセット実行中、受信周波数帯域のスキャン終了後、チャンネルに空きチャンネルが存在する場合に、オートプリセット開始時に受信していた放送局をプリセットするため、ユーザの所望する放送局をプリセットできると共に、前記記憶部の記憶領域を効率的に使用することができる。
【発明の効果】
【００２１】
本発明によれば、煩雑な作業を行うことなく、ユーザの所望する放送局を確実にプリセットすることができる。
【発明を実施するための最良の形態】
【００２２】
以下、図面を参照して本発明の実施の形態について説明する。
図１は、本実施形態に係るＲＤＳ放送受信装置１の機能的構成を示すブロック図である。このＲＤＳ放送受信装置１は、ＲＤＳ放送に係る多重放送信号を受信する機能を有しており、この受信した多重放送信号からＲＤＳデータを抽出し、抽出したＲＤＳデータを利用して、様々なサービスを提供することができる。なお、このＲＤＳデータは、放送信号に該当する番組を識別するためのコードであるＰＩコード（Ｐｒｏｇｒａｍ  Ｉｄｅｎｔｉｆｉｃａｔｉｏｎ  Ｃｏｄｅ）を含んでいる。
【００２３】
この図に示すように、ＲＤＳ放送受信装置１は、多重放送信号等の放送信号を検知するアンテナ２と、上記アンテナ２を介して放送信号を受信し、音声信号として出力する受信部３と、上記受信部３が出力した音声信号を増幅するアンプ４と、上記アンプ４にて増幅された音声信号を音声出力するスピーカ５と、ＲＤＳ放送受信装置１の各部を中枢的に制御する制御部６と、後述するチャンネルテーブル３０やカレント・チャンネルテーブル３１、ワーク・チャンネルテーブル３２等の各種データを記憶する記憶部７と、各種情報を表示する表示部８と、電源のＯＮやオートプリセットの開始、オートプリセットのモード選択等のユーザによる指示入力を制御部６に出力する操作部９とを有している。
【００２４】
また、受信部３は、アンテナ２を介して受信した放送信号から音声信号を生成し、この音声信号をアンプ４に出力するチューナ１０と、制御部６の制御の下、任意周波数の放送信号に同調させるための同調周波数信号を生成するＰＬＬ１１と、チューナ１０が受信した放送信号のうち、所定の周波数範囲の周波数の放送信号だけを通過させ、ＲＤＳデコーダ１３に出力するＢＰＦ１２と、このＢＰＦ１２が出力した放送信号を解読して、ＲＤＳデータを抽出し、このＲＤＳデータを制御部６に出力するＲＤＳデコーダ１３とを有している。制御部６は、ＲＤＳデコーダ１３が出力したＲＤＳデータを、記憶部７に保存する。また、制御部６は、チューナ１０を介して、アンテナ２が受信している受信信号のレベル（以下、単に「受信レベル」という）に関する情報を取得し、それを受信レベルデータとして記憶部７に保存する。
【００２５】
図２Ａは、記憶部７に記憶されているチャンネルテーブル３０の一例である。チャンネルテーブル３０とは、記憶部７において、チャンネル番号データ３０Ａ、周波数データ３０Ｂ、ＰＩコードデータ３０Ｃ、及び、受信レベルデータ３０Ｄを関連付けて記憶するためのテーブルである。この図に示すように、チャンネルテーブル３０は、チャンネル番号データ３０Ａと、周波数データ３０Ｂと、ＰＩコードデータ３０Ｃと、受信レベルデータ３０Ｄとを有しており、チャンネル番号データ３０Ａには、数字「１」〜「６」が割り振られている。本実施形態では、チャンネルテーブル３０は、記憶可能なチャンネル数を「６」個としているが、チャンネルの数は「６」個に限らず、記憶領域に応じて適宜設定することができる。
なお、本実施形態において、「放送局がプリセットされる」とは、チャンネルテーブル３０に放送局の周波数データ３０Ｂ、ＰＩコードデータ３０Ｃ、及び、受信レベルデータ３０Ｄが格納され、チャンネル番号データ３０Ａと対応付けられて記憶されることをいう。
【００２６】
図２Ｂは、記憶部７に記憶されているカレント・チャンネルテーブル３１の一例である。カレント・チャンネルテーブル３１とは、後述するオートプリセット開始時に、ＲＤＳ放送受信装置１が、現在受信している放送局の周波数データ３１Ｂ、ＰＩコードデータ３１Ｃ、及び、受信レベルデータ３１Ｄを一時的に記憶するためのテーブルである。この図に示すように、カレント・チャンネルテーブル３１には、周波数データ３１Ｂ、ＰＩコードデータ３１Ｃ、及び、受信レベルデータ３１Ｄを格納する。
【００２７】
図２Ｃは、記憶部７に記憶されているワーク・チャンネルテーブル３２の一例である。ワーク・チャンネルテーブル３２とは、オートプリセット時に、制御部６がワークエリアとして使用するテーブルである。この図に示すように、ワーク・チャンネルテーブル３２には、周波数データ３２Ｂ、ＰＩコードデータ３２Ｃ、及び、受信レベルデータ３２Ｄを格納する。
【００２８】
次いで、本実施形態に係るＲＤＳ放送受信装置１のオートプリセット時の動作について、図３及び図４を用いて説明する。ここで、このＲＤＳ放送受信装置１は、オートプリセットの動作モードとして、以下に示すモードＡ、及び、モードＢを有している。
（１）モードＡ
オートプリセットを開始したときに受信していた放送局と同一の周波数データ又は同一のＰＩコードデータを有する放送局は、プリセットしない動作モード
（２）モードＢ
オートプリセットを開始した時に受信していた放送局と同一の周波数データ又は同一のＰＩコードデータを有する放送局は、この放送局以外の放送局がプリセットされた後、チャンネルテーブル３０に空きが存在する場合にのみ、プリセットする動作モード
ユーザは、事前に、操作部９を操作し、どちらのモードを利用するかを設定する。
【００２９】
まず、モードＡにおけるＲＤＳ放送受信装置１の動作について説明する。
図３は、モードＡにおけるＲＤＳ放送受信装置１の動作を示すフローチャートである。
ユーザが操作部９に対して、オートプリセットを開始する旨の操作を行うと、制御部６は、操作部９から信号を受信し、オートプリセットを開始する（ステップＳＡ１）。制御部６は、現在受信している放送局の周波数、ＰＩコード、及び、受信レベルを、それぞれ周波数データ３１Ｂ、ＰＩコードデータ３１Ｃ、及び、受信レベルデータ３１Ｄとして、カレント・チャンネルテーブル３１に格納すると共に、チャンネルテーブル３０に格納されている値をリセットする（ステップＳＡ２）。その後、制御部６は、下限周波数より掃引を行うことにより放送局のスキャンを行う（ステップＳＡ３）。ここで、本実施形態では、ＦＭバンドにおいて放送局のスキャンを行うものとする。したがって、下限周波数及び上限周波数とは、ＦＭバンドの受信周波数帯域における下限の周波数、及び、上限の周波数を意味する。
【００３０】
上記のスキャンにより放送局を取得した場合（ステップＳＡ４：ＹＥＳ）（以下、ここで取得した放送局を「取得放送局」という。）、制御部６は、この取得放送局の周波数、ＰＩコード、及び、受信レベルを、それぞれ、周波数データ３２Ｂ、ＰＩコードデータ３２Ｃ、及び、受信レベルデータ３２Ｄとして、ワーク・チャンネルテーブル３２に上書格納する（ステップＳＡ５）。その後、制御部６は、ワーク・チャンネルテーブル３２に格納されている周波数データ３２Ｂがカレント・チャンネルテーブル３１に格納されている周波数データ３１Ｂと一致するか否かを判断する（ステップＳＡ６）。周波数データ３１Ｂと周波数データ３２Ｂが一致する場合（ステップＳＡ６：ＹＥＳ）、制御部６は、ステップＳＡ１２に処理を移す。周波数データ３１Ｂと周波数データ３２Ｂが異なる場合（ステップＳＡ６：ＮＯ）、制御部６は、ワーク・チャンネルテーブル３２に格納されているＰＩコードデータ３２Ｃがカレント・チャンネルテーブル３１に格納されているＰＩコードデータ３１Ｃと一致するか否かを判断する（ステップＳＡ７）。
【００３１】
ＰＩコードデータ３１ＣとＰＩコードデータ３２Ｃが一致する場合（ステップＳＡ７：ＹＥＳ）、制御部６は、ステップＳＡ１２に処理を移す。ＰＩコードデータ３１ＣとＰＩコードデータ３２Ｃが異なる場合（ステップＳＡ７：ＮＯ）、制御部６は、チャンネルテーブル３０に空きチャンネルが存在するか否かを判断する（ステップＳＡ８）。ここで、空きチャンネルとは、チャンネルテーブル３０において、周波数データ３０Ｂ、ＰＩコードデータ３０Ｃ、及び、受信レベルデータ３０Ｄが格納されていないチャンネルのことをいう。空きチャンネルが存在した場合（ステップＳＡ８：ＹＥＳ）、制御部６は、その空きチャンネルのうち、もっともチャンネル番号データ３０Ａが小さい値のチャンネルに、ワーク・チャンネルテーブル３２の周波数データ３２Ｂ、ＰＩコードデータ３２Ｃ、及び、受信レベルデータ３２Ｄを格納する（ステップＳＡ９）。
【００３２】
一方、ステップＳＡ８において、チャンネルテーブル３０に空きチャンネルが存在しない場合（ステップＳＡ８：ＮＯ）、制御部６は、ワーク・チャンネルテーブル３２の受信レベルデータ３２Ｄと、チャンネルテーブル３０に格納されている受信レベルデータ３０Ｄを比較する（ステップＳＡ１０）。ワーク・チャンネルテーブル３２の受信レベルデータ３２Ｄより値が小さい受信レベルデータ３０Ｄがチャンネルテーブル３０に存在する場合（ステップＳＡ１０：ＹＥＳ）、制御部６は、その中で最も受信レベルデータ３０Ｄの値が小さいチャンネルの周波数データ３０Ｂ、ＰＩコードデータ３０Ｃ、及び、受信レベルデータ３０Ｄを、ワーク・チャンネルテーブル３２の周波数データ３２Ｂ、ＰＩコードデータ３２Ｃ、及び、受信レベルデータ３２Ｄで上書きする（ステップＳＡ１１）。一方、ワーク・チャンネルテーブル３２に格納されている受信レベルデータ３２Ｄの値より小さい受信レベルデータ３０Ｄがチャンネルテーブル３０に存在しない場合、制御部６は、ステップＳＡ１２に処理を進める。
【００３３】
ステップＳＡ１２において、制御部６は、放送局のスキャンが上限周波数にまで至っているか否かを判断する。スキャンが上限周波数にまで至っている場合（ステップＳＡ１２：ＹＥＳ）、サーチ可能周波数全域におけるサーチが終了しているため、制御部６は、オートプリセットを中止する（ステップＳＡ１４）。サーチが上限周波数にまで至っていない場合（ステップＳＡ１２：ＮＯ）、制御部６は、ユーザが操作部９に対してオートプリセットを中止する旨の操作を行ったか否かを判断する（ステップＳＡ１３）。上記操作が行われた場合（ステップＳＡ１３：ＹＥＳ）、制御部６は、オートプリセットを中止する（ステップＳＡ１４）。上記操作が行われていない場合（ステップＳＡ１３：ＮＯ）、制御部６は、ステップＳＡ３へ処理を戻し、放送局のスキャンを再び開始する。
【００３４】
このように、モードＡによれば、オートプリセット実行中、オートプリセット開始時に受信していた放送局と同一周波数、又は、同一ＰＩコードを有する放送局はプリセットされない。したがって、煩雑な作業を行うことなく、ユーザの所望する放送局をプリセットすることができる。
【００３５】
次いで、モードＢにおけるＲＤＳ放送受信装置１の動作について、図４を用いて説明する。図４は、モードＢにおけるＲＤＳ放送受信装置１の動作を示すフローチャートである。この図において、図３と同一の部分には同一の符号を付し、その詳細な説明は省略する。
【００３６】
ステップＳＢ１２において、制御部６は、放送局のスキャンが上限周波数にまで至っているか否かを判断する。スキャンが上限周波数まで至っていない場合（ステップＳＢ１２：ＮＯ）、制御部６は、ユーザが操作部９に対してオートプリセットを中止する旨の操作を行ったか否かを判断する（ステップＳＢ１３）。上記操作が行われている場合（ステップＳＢ１３：ＹＥＳ）、制御部６は、オートプリセットを中止する（ステップＳＢ１４）。上記操作が行われていない場合（ステップＳＢ１３：ＮＯ）、制御部６は、処理をステップＳＡ３へ移し、再び、放送局のスキャンを開始する。
【００３７】
一方、ステップＳＢ１２において、放送局のスキャンが上限周波数まで至っている場合（ステップＳＢ１２：ＹＥＳ）、制御部６は、チャンネルテーブル３０に空きチャンネルが存在するか否かを判断する（ステップＳＢ１５）。空きチャンネルが存在しない場合（ステップＳＢ１５：ＮＯ）、制御部６は、オートプリセットを中止する（ステップＳＢ１４）。空きチャンネルが存在する場合（ステップＳＢ１５：ＹＥＳ）、制御部６は、カレント・チャンネルテーブル３１に格納されている周波数データ３１Ｂ、ＰＩコードデータ３１Ｃ、及び、受信レベルデータ３１Ｄをチャンネルテーブル３０の空きチャンネルに格納し（ステップＳＢ１６）、オートプリセットを中止する（ステップＳＢ１４）。
【００３８】
このように、モードＢによれば、オートプリセットにおいて、ＦＭバンドのスキャン終了後、チャンネルテーブル３０に空きチャンネルが存在する場合に、オートプリセット開始時に受信していた放送局をプリセットするため、ユーザの所望する放送局をプリセットできると共に、チャンネルテーブル３０を効率的に使用することができる。
【００３９】
さらに、本実施の形態によれば、モードＡ及びモードＢにおいて、周波数データだけでなく、ＰＩコードデータの比較によって取得放送局をチャンネルテーブル３０に格納する対象とするか否かを判断しているため、例えば、ＦＭ・Ｂａｎｄにおいて、周波数が異なり、番組が同一（ＰＩコードデータが同一）の放送局が存在する状態が現出した際も、オートプリセットを実行することによって、ユーザの所望する放送局をプリセットすることができる。
なお、上記の「周波数が異なり、番組が同一の放送局が存在する状態」の例としては、ＲＤＳ放送受信装置１が車両に搭載された場合であって、その車両が受信エリアの境目に位置している場合が考えられる。
【００４０】
さらに、本実施の形態によれば、受信可能な放送局が多数存在するエリアにおいてオートプリセットを行う場合、オートプリセットを行う頻度を減らすことができる。すなわち、従来、オートプリセットを実行した後、現在受信している放送局がプリセットされたときは、その放送局がプリセットされなくなるまで、何度もオートプリセットを行う必要があったが、本実施の形態によれば、現在受信している放送局をモードＡにおいてはプリセットせず、モードＢにおいては低い優先順位でプリセットするため、オートプリセットを実行する回数が少なくなる。
【００４１】
なお、上述した実施の形態は、あくまでも本発明の一態様を示すものであり、本発明の範囲内で任意に変形および応用が可能である。
例えば、本実施形態においては、カレント・チャンネルテーブル３１に格納されたデータとワーク・チャンネルテーブル３２の比較において（図３及び図４のステップＳＡ６、ＳＡ７参照）、周波数データ、及び、ＰＩコードデータと比較を行っているが、これは、周波数データ、又は、ＰＩコードデータのみの比較でもよい。
【００４２】
また、本実施形態に係るＲＤＳ放送受信装置１は、ＲＤＳ放送等の多重放送信号を受信する機能を有しているが、この機能を必ずしも有している必要はない。この場合、放送局のＰＩコードを受信することができないため、ワーク・チャンネルテーブル３２とカレント・チャンネルテーブル３１に格納されたデータの比較は、周波数データによって行われる（図３及び図４のステップＳＡ７における比較が行われない。）。
【００４３】
また、本実施形態においては、ステップＳＡ２において、チャンネルテーブル３０に格納された値をリセットしているが、必ずしもリセットする必要は無く、ポインタにより、チャンネルテーブル３０において、次に値を格納すべきチャンネルを把握し、チャンネルテーブル３０に値を格納するときは、上記ポインタが指し示すチャンネルに値を上書きするようにしてもよい。
【図面の簡単な説明】
【００４４】
【図１】本実施形態に係るＲＤＳ放送受信装置の機能的構成を示すブロック図。
【図２】（Ａ）は、チャンネルテーブルを示す図であり、（Ｂ）は、カレント・チャンネルテーブルを示す図であり、（Ｃ）は、ワーク・チャンネルテーブルを示す図。
【図３】ＲＤＳ放送受信装置のモードＡにおける動作を示すフローチャート。
【図４】ＲＤＳ放送受信装置のモードＢにおける動作を示すフローチャート。
【符号の説明】
【００４５】
１  ＲＤＳ放送受信装置
２  アンテナ
３  受信部
４  アンプ
５  スピーカ
６  制御部
７  記憶部
８  表示部
９  操作部
１０  チューナ
１１  ＰＬＬ
１２  ＢＰＦ
１３  ＲＤＳデコーダ
【図１】
2008109530.tif 000003
【図２】
2008109530.tif 000004
【図３】
2008109530.tif 000005
【図４】
2008109530.tif 000006